(57)【要約】【課題】インターネット通信販売システムにおける画像送信時の商品画像の色変化把握。【解決手段】少なくとも一つの彩色商品の見本画像と、基準色画像αを組込んで彩色商品カタログをデジタル・データとしてコンピューターの記憶装置に格納し、このデジタル・データをデジタル商品カタログＸとしてインターネット情報通信システムを介して不特定多数の潜在消費者に送信し、デジタル商品カタログＸの受信者がデジタル商品カタログの受信データをデジタル画像Ｘ‘として画像システムのモニタに表示し、その画像中のデジタル化され、送信に伴い色変わりしている前記基準色画像部分α‘の色調を、前記情報の受信者が自己が所有する前記基準色画像αの色調に合致した色調に色補正することにより、この補正と同一条件で且つ同時にモニタ表示画像Ｘ‘のα‘以外の他の部分の色調も補正する、彩色商品カタログの画像伝達における色変化情報の伝達方法。【選択図】図１
2010093863.tif 000002
【特許請求の範囲】
【請求項１】
少なくとも一つの彩色商品の見本画像と、基準色画像αを組込んで彩色商品カタログとし、この商品カタログをデジタル・データとしてコンピューターの記憶装置に格納し、
情報の送信元がこのデジタル・データをデジタル商品カタログＸとしてインターネット情報通信システムを介して不特定多数の潜在消費者である情報の受信者に送信し、
デジタル商品カタログＸを受信した前記受信者がデジタル商品カタログの受信データをデジタル画像Ｘ‘として自己が所有する画像システムのモニタに表示し、
その画像中のデジタル化されており、送信に伴い色変わりしている前記基準色画像部分α‘の色調を、前記情報の受信者が自己が所有する前記基準色画像αの色調に合致した色調に色補正することによって、この補正と同一条件で且つ同時にモニタ表示画像Ｘ‘のα‘以外の他の部分の色調も補正することを特徴とする、彩色商品カタログの画像伝達における色変化情報の伝達方法。
【請求項２】
前記基準色画像がＲＧＢ基準色であることを特徴とする、請求項１に記載の彩色商品カタログの画像伝達における色変化情報の伝達方法。
【発明の詳細な説明】
【技術分野】
【０００１】
本願発明は、インターネット情報通信システムを介して販売商品の宣伝を行い、消費者から受注した特定商品を販売する商品の販売方法に関連する発明であって、特に、商品の色が購入商品を決定する重要な要件である商品の販売方法に関連するものであって、そのインターネット情報通信システムを利用して提供され、消費者のパソコンのモニタに表示されたデジタル商品カタログにおける色変化情報の提供方法に関し、更に、この色変化情報の提供方法を利用した商品の選択方法に関する。
【背景技術】
【０００２】
テレビ、新聞雑誌等を媒体として不特定多数の一般消費者に宣伝販売するシステムは生産者⇒問屋⇒店舗の流通システムの盛衰に大きな影響を与えてきたが、最近マスコミで報道されているインターネット情報通信システムを利用した販売システム、例えば婦人服生地の販売をインターネット通信販売で行うとか、写真や絵画、自動車等の販売に於いてインターネットを利用した効率的宣伝を行う等の販売システムは従来の雑誌等の記録媒体を介した通信販売システムに比べて、宣伝活動に要する経費は著しく節約され、その上宣伝活動の対象となる潜在消費者の数が飛躍的に拡大されるのでその発展が期待される。しかしながら、その反面解決されるべき問題を抱えている。その一つが、本願発明の対象とする商品の色問題、即ちインターネット情報通信システムを介して消費者に届けられたデジタル商品カタログの色が必ずしも現実の商品と合致しないことである。
【０００３】
この色不一致の問題は、インターネット通信販売による現実の商取引に致命的な悪影響を与えることとなる。より具体的に説明すると、例えば高価な婦人服地や洋服等をインターネット情報通信システムを介した宣伝情報に基づいて消費者が販売元に直接注文し、販売元から注文の商品が注文主に届いた場合、若し、インターネットを介して自己の所有するパソコンのモニタで認識した色が現実に手元に届いた洋服生地の色と比べて歴然とした相違があることを注文主が認識した場合、注文主と販売元との間に支払いを巡ってのトラブルが発生することを避ける事が出来ない。この問題がインターネット通信販売システムにおいて避ける事が出来ない問題である。
【０００４】
上記の色不一致の問題はＣＤ−ＲＯＭ等の記録媒体を介して消費者に商品情報を伝達する場合も含めた商品取引システムに共通する問題として認識されている。
【０００５】
前記商品取引システムに於ける色変化に対処する方策として、「イメージ、データの色調の濃淡の補正方式」（特開平９−１６０５２７）（以下特許文献１発明と称す）が知られている。
【０００６】
この方式では、利用者（消費者）が入手した商品情報の中から、例えばＣＤ−ＲＯＭ等の記録媒体を介して商品情報を入手する場合は、この記録媒体を介して、利用者が自らの表示装置に標準イメージ（ａ０）を表示し、これに対し、プロセッサーにより色調や濃淡を段階的に少しづつ変化させた複数のイメージ（ａ１，ａ２，…ａｎ）を表示装置に並べて表示し、次で前記標準イメージ（ａ０）に対応する写真等（別途に用意された）と見比べて、これと合致するイメージ（ａｘ）を選択し、このイメージ（ａｘ）のパラメータを記憶装置に格納し、以降この商品の取引システムで、同じ記録媒体を介して商品イメージを表示装置に表示する毎に、前述の選択されたパラメータを適用して表示イメージの色補正をすることが開示されている。
【０００７】
又、特許文献１には前述段落〔０００５〕に対応する実施例２では同一ＣＤ−ＲＯＭから選択した標準イメージを対象に求めた補正パラメータによる精度向上（平均値）方法が説明され、また、複数のＣＤ−ＲＯＭを対象とする場合が実施例３（段落〔００３３〕）としてそれぞれ説明され、更にインターネット情報通信システムを利用する場合についても説明されているが、何れの場合も前述段落〔０００５〕に開示された技術思想に基づくものである。しかしながら、上記特許文献１に記載された発明にあっては、何れも下記に示す問題をかかえている。
【先行技術文献】
【特許文献】
【０００８】
【特許文献１】特開平０９−１６０５２７号公報
【発明の概要】
【発明が解決しようとする課題】
【０００９】
上記特許文献１発明にあっては、表示装置に表示された標準イメージ（ａ０）の色調や濃淡を少しづつ変化させたイメージ（ａ１，ａ２，…ａｎ）をプロセッサーにより作成表示する必要があるが、表示装置に表示されるイメージの色は明度、コントラスト、彩度、色バランスが相互に関連して微妙に変化する。換言すれば、これらの色調変化要素の微妙な組合せは、特許文献１発明の実施例１で開示した段階的態様の数とは桁違いの変数となる。この事実から明かなように、プロセッサーにより作成された段階的イメージの中に、この特許文献１発明の「最適と認めることができるイメージ」が含まれる確立は極めて低く、従って以降のイメージ色補正に適用するパラメータの信頼度は極めて低いと称しても過言でない。
【００１０】
また、上記特許文献１発明には、同文献の段落〔００１８〕の記載から明かなように、利用者（消費者）が表示装置の表示と比較する標準として、別途用意された写真等と表示装置に表示された段階的イメージを見比べることにより、最適なものを選択することが必須要件となっているが、この比較対象となる写真等を不特定多数の利用者に提供するのは、現実的に不可能である。
【００１１】
又利用者が入手したＣＤ−ＲＯＭ等の記録媒体に格納されている商品のイメージが対応する商品と実質的に色調が合致するように記録媒体にイメージデータを格納する前にカラーマッチングがされていればよいが、その保証はない。もしカラー・マッチングされていない場合は、対応する商品の色調と合致しないことになり、発明の目的を達成する事が出来ない。
【００１２】
以上のような技術的背景にあって、本願発明は、インターネット通信販売システムにおける前述の商品見本カタログの色について、上記のような従来技術の有する問題を解決し、いつでもどこでも簡便にインターネット通信システムによる画像送信時の色変化情報をより正確に把握できるようにする方法を提供することを目的とする。
【課題を解決するための手段】
【００１３】
インターネット情報通信システムを利用して、販売元がデジタル商品カタログをデジタル・データとして消費者に伝達すると、多くの場合、受信者（消費者）のパソコンのモニタに表示されたデジタル商品カタログを構成する色が販売元のデジタル商品カタログの色と異ること（以下、「色変化」あるいは「色化け」と称する）が公知の事実である。
【００１４】
この色化けの原因はモニタの設置場所（照明の影響）、製造会社の相違にもよるが、微細ではあるがシステムを構成する機器の色関連性能の相違によるものと理解されるが、更に販売元と受信先での色認識に関する個人差も影響している。因みに色認識に個人差があっても、商品を購入する各個人自らが許容できる結果となるので、現実的に問題とはならない。
【００１５】
一般の商取引において、商品の品質と価格を判断して売買が行われることは今更申すまでもないが、商品の品質の判断には、商品の寸法等のように判断の物差しが必要である。この観点からすると商品の色については判断の基準となる物差しがなく、目視による消費者の認識によらざるを得ないのが現実である。この現実の問題が本願発明を着想する原点となっている。
【００１６】
即ち、消費者が商品を直接観察し、或は雑誌等の媒体を介して商品の価値を判断する場合は、直接観察する商品または印刷商品カタログ、雑誌等の媒体に表示された商品の色画像によって商品の品質（色品質）を判定し、更に価格を考慮して購入の是非を決定する。因みに後者の判断方法の場合は、当然のことながら実際の商品と媒体に表示された商品画像とのカラーマッチングが販売元で行われているので、目視による判断の場合と実質的に同じ判断効果を得ると認識される。然しながら、インターネット通信販売の場合は前述の「色化け」の問題があるので、この問題を解決しなければ、現実的販売手法として採用することは出来ない。本願発明の第一の目的はこの色化け問題を解決するための前提となる、インターットにより送信されたデジタル商品カタログの中で特に色変化情報（色の変化の存在、及び色変化の程度）を消費者に提供し、且この方法を利用した商品の選択方法を提供することにある。
【００１７】
更に、洋服地の風合等色以外の品質要素が商品の判断を左右することも考慮されなければならないが、これは商取引の実務上別途対処すべき問題である。
【００１８】
例えば、自動車等のように機能が消費者の購買意欲を左右するキーポイントである場合でも、前記の商品の色も消費者の購買意欲に影響を与えることは否定出来ない。この観点から商品の機能が商品購入意欲を左右する場合であっても、更に色化け問題を解決することが重要である。
【００１９】
先ず、本願発明の基本的技術思想について説明する。
【００２０】
前述の「色化け」問題は、商品の発売元と一般消費者に共通する判断の物差しを設定して行うことによって解決される。即ち、この共通の物差しとしてＲＧＢ等の公知の「基準色画像」を採用し、少なくとも一つの彩色商品の見本画像とこの基準色画像を組込んだ商品カタログを作成し、この商品カタログをデジタル・データとしてコンピューターの記憶装置に格納し、販売元がこのデジタル・データをデジタル商品カタログとしてインターネット通信システムを介して消費者に伝達することによって基本的に解決される。
【００２１】
より具体的に説明すると、本願発明のインターネット情報通信システムを介した彩色商品カタログの画像伝達（送信）における色変化情報の提供方法は、
先ず販売元が、少なくとも一つの彩色商品の見本画像とこの基準色画像を組込んだ商品カタログを作成し、この商品カタログをデジタル・データとしてコンピューターの記憶装置に格納し、販売元がこのデジタル・データをデジタル商品カタログとしてインターネット情報通信システムを介して消費者に送信し、消費者がデジタル商品カタログの受信データをデジタル画像としてモニタに表示し、モニタ表示の基準色画像の色を消費者が所有する基準色画像（販売元が使用した前述の基準色画像と同じ印刷物）と比較し、インターネット通信システムを介して伝達された画像の色の変化を認識させることによって購入商品の確実な選択を可能としている。
【００２２】
因みに、前述の基準色画像がＲＧＢ基準色画像、ＪＩＳ規格等公知の基準色画像を採用することによって採用した基準色画像を一般消費者、販売元が容易に共有することが出来るので、本願発明がいつでも、どこでも簡便にかつ正確に実施することができる特徴を持っている。
【００２３】
より具体的に説明すると、本願発明によるインターネット情報通信システムを利用するデジタル商品カタログにおける色変化情報の提供方法は、
前述の基準色画像を併記した商品カタログ（印刷されたもの）を作成し、この特製の商品カタログをインターネット情報通信システムを介して潜在消費者に情報提供し（つまりデジタル商品カタログとしてインターネット情報通信システムを介して情報提供する）、インターネット情報通信システムを介して消費者がこのデジタル商品カタログを受信し、自己が所有するパソコンシステムのモニタにこのデジタル商品カタログの受信データをデジタル画像として表示させ、次いで、この消費者はモニタに表示されたデジタル商品カタログのデジタル画像（商品のデジタル画像）について、自己が所有する前記印刷された基準色画像と、モニタのデジタル画像に組込まれて一体に表示されたデジタル基準色画像の色を比較することによって、その色変化の存在及び程度を判断し、モニタ表示の商品のデジタル画像の色変化情報を入手することによって、「色化け」問題に対処可能とすることを基本的技術思想とする。
【００２４】
モニタ表示の商品のデジタル画像の色変化情報を得た消費者は、色変化の程度に応じて商品を選択し、又、取引の実態に応じて販売元に所望商品を注文することによって所望商品を購入することが出来る。
【００２５】
最近コンピューター画像処理技術が急速に発展し、自己の所有するパソコンのモニタに表示されたデジタル画像色の単純な補正が一般家庭でも容易に出来るようになった。従って、本願発明の場合でも、自己の所有するパソコンのモニタに表示された基準色のデジタル画像の色を自己が所有するこの基準色画像の色（印刷された基準色画像の色）と比較して目視で両者間の相違が明瞭に認識された場合に、例えば公知のコンピューター画像処理手法（例えばAdobe社  Photoshop LE-J（登録商標））を用いた色補正処理によって、モニタ表示のデジタル基準色画像の色を自己が保有する印刷基準色画像の色と実質的に合致するように補正すれば、前記デジタル基準色画像と共に表示されている商品のデジタル画像の色も補正されるので、色品質を重視した商品の選択が効率的に高い精度で可能となる。
【００２６】
又潜在消費者が、上記のような画像処理プログラム等を用いたコンピューター画像処理技術を習得していない場合は、色温度の異る数種の目視フィルター、即ち、例えば基本色としてＲ、Ｇ、Ｂ基本色の三原色を選択し、夫々について明度、又は明度と彩度の異なる数種のフィルターを準備しておけば、色化けしたモニタ表示のＲＧＢ基準色画像をこれら数種のフィルターを介して観察して、ＲＧＢ基準色画像（印刷）と近似した観察結果を得ることができたフィルターを見つけ、このフィルター利用の手法によってインターネット情報システムを介して提供される間の色変化の程度を知ることができ、又このフィルターを介してモニタ表示の商品のデジタル画像を観察することによって、色化けによる商品選択ミスを避けることができる。
【００２７】
このように、インターネット情報通信システムによってデジタル画像を伝達した場合に避けることができない色化けの程度を把握することができるので、その後、商行為の手順に従って、色化けによる判断ミスを避けた商品の選択に基づいて、仮選択した商品のプリント・カタログを販売元に求めれば、商品の色に関する限りは高い精度で商品の発注をすることができる。
【００２８】
又、例えば高級婦人服販売の場合のように、風合等色品質以外の品質要素も加味されて総合的に品質が判断される場合がある。この場合は、前述の手順によるプリントカタログの入手の際に、商品見本も併せて販売元から消費者（プリントカタログの請求先）に送達することによって、総合的に商品の品質が検討出来るので、消費者、販売元両者にとって確度の高い商品の売買が可能となる。
【００２９】
次に本願発明の構成をより具体的に説明する。
【００３０】
第一に、本願発明は、彩色商品カタログのインターネット情報通信システムを介した商品の宣伝活動において、
先ず販売元が、少なくとも一つの彩色商品の見本画像と基準色画像を組込んだ商品カタログを作成し、この商品カタログをデジタル・データとしてコンピューターの記憶装置に格納し、販売元がこのデジタル・データをデジタル商品カタログとしてインターネット情報通信システムを介して消費者に送信し、消費者がデジタル商品カタログの受信データをデジタル画像としてモニタに表示することによって、インターネット情報通信システムを介した画像伝達によって発生する画像色の変化を表示することを特徴とする、彩色商品カタログの画像伝達における色変化情報の提供方法である。
【００３１】
第二に、本願発明は、第一の態様において、基準色画像がＲＧＢ基準色画像であることを特徴とする、彩色商品カタログの画像伝達における色変化情報の提供方法である。
【００３２】
第三に、本願発明は、第一又は第二の態様において、消費者のモニタに表示されたデジタル商品カタログのデジタル画像を構成する基準色画像の色を消費者所有の印刷基準色画像と対比することによって、画像伝達による画像色変化を把握することを含むことを特徴とする彩色商品カタログの画像伝達における色変化情報の提供方法である。
【００３３】
第四に、本願発明は、第三の態様の彩色商品カタログの画像伝達における色変化情報の提供方法であって、消費者がモニタ表示のデジタル基準色画像の色を画像のカラーマッチング処理操作によって自己所有の印刷基準色画像の色と実質的に合致させ、明度、コントラスト、彩度、色バランスの調整値（カラーマッチング値）を把握することを特徴とする彩色商品カタログの画像伝達における色変化情報の提供方法である。
【００３４】
第五に、本願発明は、第三の態様の彩色商品カタログの画像伝達における色変化情報の提供方法であって、Ｒ、Ｇ、Ｂ基本色それぞれについて明度、又は明度と彩度の異なる数種のフィルターを準備し、フィルターを介して見たモニタ表示のデジタル基準色画像の色と印刷基準色画像の色とが実質的に合致するフィルターを選択することを特徴とするインターネット情報通信システムを利用する彩色商品カタログの画像伝達における色変化情報の提供方法である。
【００３５】
第六に、本願発明は、第四の実施態様において、カラーマッチング処理操作によってモニタ表示のデジタル基準色画像の色を印刷基準色画像の色と実質的に合致させることによってその結果同時に色調整されたデジタル商品カタログのデジタル画像（モニタ表示）の中から所望の商品を選択することを特徴とする商品選択方法である。
【００３６】
第七に、本願発明は、第五の実施態様において、更に、選択されたフィルタを介して、消費者のモニタ表示の彩色商品カタログの商品（デジタル商品カタログのデジタル画像）を観察し、所望の商品を選択することを特徴とする商品選択方法である。
【発明の効果】
【００３７】
以上の構成により、本願発明は、インターネット通信販売システムにおいて避けることのできない問題であったデジタル彩色商品カタログの色化けが、本願発明によって、いつでも、どこでも簡便、かつ正確に把握できるので、消費者に彩色商品カタログの画像伝達における色変化情報を提供できる。
【００３８】
更に、前述のインターネットを介した商品販売システムにおける「色化け」問題の解決方法は、自動車等の商品の機能が消費者の購買意思を決定する主要素である場合でもその効果が期待出来る。より具体的に説明すると、従来行われて来た専門雑誌を利用した宣伝の場合は宣伝の範囲が雑誌の購買者に限定されるのに対し、インターネットを介した新車の宣伝効果は飛躍的に拡大されることは今更説明するまでもない。然しこの場合でも前述の「色化け」問題を避けることが出来ないが、インターネットを介して伝達する新車のデジタル商品カタログのデジタル画像に前述の実施例のＲＧＢ基準色画像等の基準色画像を組込んでおけば、後記実施例の場合と同様に潜在購入者自身が自己の所有するパソコンにより、モニタ表示のデジタル商品カタログの色変化を即座に、いつでもどこでも容易により正確に判定でき、印刷商品カタログを介した商品購入と同じ効果を得ることとなるので、販売元、潜在購入者にとって経済的、効率的観点から影響が大きい。
【００３９】
後記実施例の説明で明らかなように、本願発明は、インターネット情報通信システムを介した商品の宣伝活動が普遍化した現在、インターネット情報通信システムを介した商品の販売を結果的に阻害している「画像伝達における伝達画像の色化け」問題を実質的に解決しているので、販売商品の品質が商品の色によって大きく影響される絵画、写真等の審美商品にもその儘効果的に採用することが出来る。即ち、作者側からすれば、一般大衆をターゲットとする巨大な潜在市場が存在することとなり、先入観（名声）に捕らわれないで作品を頒布し、評価を受ける機会が与えられ、一方購入者側としても、自ら満足出来る作品を名声とは無関係な適正価格で入手出来ることとなるので、従来の販売方法に比べて全く次元の異なった新しい販売システムとしてその発展が期待される。
【図面の簡単な説明】
【００４０】
【図１】婦人服のインターネット通信販売に使用する商品カタログの一例である。
【図２】婦人靴のインターネット通信販売に使用する商品カタログの一例である。
【図３】ＲＧＢ基準色画像である。
【発明を実施するための形態】
【００４１】
以下に本願発明の実施形態について、インターネット商取引の実務的な具体的なその利用態様と共に説明する。
【実施例１】
【００４２】
この実施例では婦人服のインターネット通信販売に関連して本願発明を説明する。
【００４３】
近年、所謂ファッション雑誌等を媒体として高級婦人服を宣伝し、通信販売する販売活動が普及してきた。この実施例はこの様な婦人服の通信販売手法をインターネット情報通信システムを利用した販売、即ちインターネット情報通信システムを利用して一般消費者を対象とする商品の宣伝を行い、受注し販売するシステムに置き換えたものであるが、次に述べる作業ステップを踏むことによって、インターネット通信販売の色化け問題を根本的に解決している。
【００４４】
第一ステップとして、色柄の異なる複数の婦人服画像Ａ〜Ｅを含む商品カタログ（印刷物）（図１）を作製した。この場合は商品カタログの枠内にＲＧＢ基準色画像Ｓを組込んだ。因みに商品画像Ａ〜Ｅ並びにＲＧＢ基準色画像Ｓ（図３）の色は目視で商品並びに印刷ＲＧＢ基準色画像の色と実質的に合致するようカラーマッチングされている。
【００４５】
次に、この商品カタログを、プロバイダーを介して一般の潜在消費者にインターネット情報通信システムを介して情報提供した（つまり、デジタル画像化手段を介してデジタル商品カタログとして販売元のコンピューターに入力・格納して、販売元からインターネット情報通信システムを介して消費者に情報提供した）。
【００４６】
潜在消費者はこのインターネットに接続した自己のパソコンにデジタル・データとしてこのインターネット情報を格納し、モニタにこの婦人服のデジタル画像と共にＲＧＢ基準色画像を表示させて、このＲＧＢ基準色デジタル画像の色と、手元の印刷されたＲＧＢ基準色画像の色とを対比することによりインターネット情報通信システムを介した送信側（販売元）と受信側（消費者）との間の変色の程度を把握することができる。
【００４７】
更なる具体的発明の態様としては、色化けがある程度存在する場合には、この表示デジタルＲＧＢ画像の色が自己の所有するＲＧＢ基準色画像（印刷ＲＧＢ基準色画像）の色と目視によって実質的に合致するように前述の公知の手法〔００２４〕で色補正し、この色補正によって同時に色補正されたデジタル画像（商品カタログの婦人服）の中から特定の商品を選択し、商品を発注した。
【００４８】
商取引の態様として、品質確認の為の印刷された商品カタログと併せて商品見本の送達を販売元に請求することもできる。
【００４９】
この依頼を受けた販売元はこの洋服の生地見本（４cm2 ）を添付して商品カタログを注文主に郵送する。
【００５０】
販売元から商品カタログ並びに生地見本を受けとった注文主は、商品の色の他に洋服生地の風合いも含めて検討して特定商品の品質を確認出来たので、迷うことなく本注文を発注することが出来た。
【００５１】
この実施態様では、本願発明の第一の態様に続いて、更に消費者が自己の所有するパソコンを駆使してモニタに表示されたデジタル画像（ＲＧＢ基準色画像と婦人服画像）の色補正をすることによって購入希望の婦人服を選定しているので、服地の色に関しては印刷カタログの請求をする必要はない。
【００５２】
商取引の実態においては、服地の風合いを検討する目的で仮注文の形式をとり、カタログや実物見本を入手して、それに基づいて正確な商品の確認を行うこともできる。
【実施例２】
【００５３】
この実施例は婦人用靴のインターネット販売システムを例としたものである。従来から雑誌等の情報伝達システムを介した通信販売システムによって婦人用靴の販売が行われて来た。この場合は当然のことながら雑誌等に掲載された商品カタログ（カラー）に表示された見本靴の色は実際の商品と実質的に合致（目視による）するようにカラーマッチングが実施されている。
【００５４】
従ってこの通信販売システムによって潜在消費者が入手した商品見本カタログの色は現実の商品の色と実質的に目視で合致していると判断しても差し支えない。然しながら、既に述べたインターネット情報通信システムを介する商品の販売方法の場合は、潜在消費者が自己のパソコンに格納したデジタル・データによって商品見本のデジタル画像をモニタに表示するので、前述の「色化け」の問題を生ずるが、この実施例では次の手法を適用することによって現実にこの色化け問題を解消している。
【００５５】
先ず図２に示す婦人靴の色見本Ｆ〜Ｉを含むカタログを作製した。又ＲＧＢ基準色画像Ｓ（図３）を図２の中央に表示している。当然のことながら、図２は商品並びにＲＧＢ基準色画像の色と目視で実質的に合致するように印刷の際に十分なカラーマッチングを行なっている。
【００５６】
次いで、このカラーマッチングされたＲＧＢ基準画像が組込まれた商品カタログをデジタル画像化手段によりデジタル・データとして販売元のコンピューターに入力、格納し、このデータをデジタル商品カタログとして、Ａプロバイダーを介するインターネット情報通信システムを介して全国的に情報提供した。
【００５７】
潜在消費者は、インターネット情報通信システムを介して自己の操作するパソコンでこの婦人靴の商品デジタル画像カタログ情報をキャッチし、モニタに表示された前記商品デジタル画像カタログに組込まれたＲＧＢ基準画像の色と手元にある印刷された基準色画像の色とを対比することにより、商品デジタル画像の変色の程度を把握する。
【００５８】
変色の程度が判断に影響を与えない程度である場合には、消費者のモニタに表示された商品デジタル画像の色及び形状によって求める商品を選択して販売元に発注することとなる。
【００５９】
前述婦人服の通信販売の実施例１の説明の場合のように、色化けがある程度存在する場合には、消費者のパソコンのモニタに表示された商品カタログのデジタル画像に組込まれたＲＧＢ基準色画像の色を印刷ＲＧＢ基準色画像の色と実質的に合致するように、前述の公知の手法〔００２４〕で色補正し、この色補正によって同時に色補正されたデジタル画像（商品カタログの婦人靴）の中から所望の商品を選択して、販売元に発注する事によって、前述の色化けによる問題を解消することが出来る。
【００６０】
以上の実施例では、潜在消費者が自己のパソコンのモニタに表示されたデジタル商品カタログのデジタル画像に組込まれたＲＧＢ基準色の色と自己が所有するＲＧＢ基準色画像の色を比較（目視）してデジタル商品カタログの色変化の程度を判別をすることで、いつでもどこでも容易に色変化の情報を入手して、その後の適正な（特に適切な色の）商品の発注に結びつけることができることを示している。
【００６１】
以上の実施例では、色化け問題解消の為に、消費者が何時でも、何処でも容易に入手出来る基準色画像として、世界的に公知のＲＧＢ基準色画像を採用しているが、その他にも、例えばＪＩＳハンドブック（６１）色彩記載の「色相環」を採用するとか、販売元が自社製品の宣伝効果を狙って、特別に設計した自社商品カタログ専用の基準色画像を採用する事も可能である。但し、自社商品を特定する場合は当然の事ながらこの特定基準色画像を消費者に配布する余分の手数、費用を要する。
以下に、本願発明に関連する発明の実施形態を列挙する。
〔実施形態１〕
彩色商品カタログのインターネット情報通信システムを介した商品の宣伝活動において、
先ず販売元が、少なくとも一つの彩色商品の見本画像と基準色画像を組込んだ商品カタログを作成し、この商品カタログをデジタル・データとしてコンピューターの記憶装置に格納し、
販売元がこのデジタル・データをデジタル商品カタログとしてインターネット情報通信システムを介して消費者に送信し、
消費者がデジタル商品カタログの受信データをデジタル画像としてモニタに表示することによって、インターネット情報通信システムを介した画像伝達によって発生する画像色の変化を表示することを
特徴とする、彩色商品カタログの画像伝達における色変化情報の提供方法。
〔実施形態２〕
基準色画像がＲＧＢ基準色画像であることを特徴とする、実施形態１に記載の彩色商品カタログの画像伝達における色変化情報の提供方法。
〔実施形態３〕
実施形態１又は２に記載の色変化情報の提供方法において、消費者のモニタに表示されたデジタル商品カタログのデジタル画像を構成する基準色画像の色を消費者所有の印刷基準色画像と対比することによって、画像伝達による画像色変化を把握することを含むことを特徴とする彩色商品カタログの画像伝達における色変化情報の提供方法。
〔実施形態４〕
実施形態３の彩色商品カタログの画像伝達における色変化情報の提供方法であって、消費者がモニタ表示のデジタル基準色画像の色を画像のカラーマッチング処理操作によって自己所有の印刷基準色画像の色と実質的に合致させ、明度、コントラスト、彩度、色バランスの調整値（カラーマッチング調整値）を把握することを特徴とする彩色商品カタログの画像伝達における色変化情報の提供方法。
〔実施形態５〕
実施形態３の彩色商品カタログの画像伝達における色変化情報の提供方法であって、Ｒ、Ｇ、Ｂ基本色それぞれについて明度、又は明度と彩度の異なる数種のフィルターを準備し、フィルターを介して見たモニタ表示のデジタル基準色画像の色と印刷基準色画像の色とが実質的に合致するフィルターを選択することを特徴とするインターネット情報通信システムを利用する彩色商品カタログの画像伝達における色変化情報の提供方法。
〔実施形態６〕
実施形態４の彩色商品カタログの画像伝達における色変化情報の提供方法を利用する商品選択方法であって、更に、カラーマッチング処理操作によって、モニター表示の基準色画像の色を印刷基準色画像の色と実質的に合致さることによって同時に色調整された彩色商品カタログ画像（モニター表示）の中から所望の商品を選択することを特徴とする商品選択方法。
〔実施形態７〕
実施形態５の彩色商品カタログの画像伝達における色変化情報の提供方法を利用する商品選択方法であって、更に、選択されたフィルターを介してモニター表示の彩色商品カタログの商品を観察し、所望の商品を選択することを特徴とする商品選択方法。
【符号の説明】
【００６２】
Ａ，Ｂ，Ｃ，Ｄ，Ｅ    色柄の異なった婦人服商品
Ｆ，Ｇ，Ｈ，Ｉ    色の異なった婦人靴商品
Ｓ    ＲＧＢ基準色画像
【図１】
2010093863.tif 000003
【図２】
2010093863.tif 000004
【図３】
2010093863.tif 000005